(57)【特許請求の範囲】
【請求項１】
一対の引手本体を引戸の表裏両面に装着する引手装置において、一方の引手本体には、裏面の上下部に弾性変形可能な係合片を設けると共に、他方の引手本体には、裏面の上下部に係止部を設けて成り、係合片に設けた押圧部が係止部に設けた受圧部に弾性的に圧接されるよう構成され、さらに係合片の押圧部近傍には外止部を設けると共に係止部近傍には外止部に対応する位置に外止受部を設けて、係合片が係止部に当接して変形し、乗り越えた後に押圧部が受圧部に弾性的に圧接され、両引手本体が近づく方向に付勢され、なおかつ、両引手本体が離される方向に力を受けた時には、外止部が外止受部に係止されて抜け止めされ得る構成としたことを特徴とする引手装置。
【請求項２】
一対の引手本体を引戸の表裏両面に装着する引手装置において、一対の引手本体には、裏面の上下部のそれぞれに弾性変形可能な係合片を設けると共に、係止部を設けて成り、係合片に設けた押圧部が係止部に設けた受圧部に弾性的に圧接されるよう構成され、さらに係合片の押圧部近傍には外止部を設けると共に係止部近傍には外止部に対応する位置に外止受部を設けて、係合片と係止部が対向するように、一対の引手本体を上下逆にして引戸の表裏面から挿入し、係合片が係止部に当接して変形し、乗り越えた後に押圧部が受圧部に弾性的に圧接され、両引手本体が近づく方向に付勢され、なおかつ、両引手本体が離される方向に力を受けた時には、外止部が外止受部に係止されて抜け止めされ得る構成としたことを特徴とする引手装置。
【請求項３】
外止部は、係止部に接触する側に突出して設けた突片であり、外止受部は、外止部が当接する突部であることを特徴とする請求項１又は請求項２に記載された引手装置。
【請求項４】
外止部は、係合片に設けた貫通孔であり、外止受部は、貫通孔に入り込むように設けられた突部であることを特徴とする請求項１又は請求項２に記載された引手装置。
【発明の詳細な説明】
【技術分野】
【０００１】
本発明は、一対の引手本体を引戸の表裏両面に装着する引手装置であって、取付ねじを必要としないで、ワンタッチで引戸に装着することができる引手装置に関するものである。
【背景技術】
【０００２】
従来より、ワンタッチで引戸に取り付けられる引手装置として、特開２０１３−２１７１７６号発明（従来例１）や、特開２０１３−２１７０６１号発明（従来例２）が提案されている。
従来例１は、一対の引手本体を引戸の表裏両面に装着する引手装置で、引手本体の上下又は左右のそれぞれに第１傾斜部と第２傾斜部を有する係止段部と、この第１傾斜部に当接して変形し、第１傾斜部を乗り越えたところで第２傾斜部に弾性的に接合する突起部を形成した係合片を設けたことを特徴とする引手装置である。
【０００３】
従来例２は、一対の引手本体を引戸の表裏両面に装着する引手装置で、一方の引手本体は、その裏面側に相対向しかつ底板に垂直に係合片が両者の中央部に空間を形成するように２箇所に設けられ、その内側面に歯部が形成され、少なくとも一方の側の係合片の間に一致するように前記底板に略平行に押し込み可能な離脱操作用の突起が形成されており、他方の引手本体は、前記一方の引手本体と同様に底板に垂直方向に前記一方の引手本体の係合片の歯部に噛み合うように外側面に歯部を形成するように弾性変形可能な係合片が形成されている引手装置である。
【先行技術文献】
【特許文献】
【０００４】
【特許文献１】特開２０１３−２１７１７６号公報
【特許文献２】特開２０１３−２１７０６１号公報
【発明の概要】
【発明が解決しようとする課題】
【０００５】
上記従来例１においては、一対の引手本体は、係合片が第２傾斜部に弾性的に接合して引戸に装着されているので、引戸の厚さが変化しても、引戸と引手装置との間に隙間が生じにくいという効果があるが、一対の引手本体が離される方向に大きな力がかかった場合、外れてしまう問題がある。また、上記従来例２においては、一対の引手本体が離される方向に大きな力がかかった場合でも外れにくいという効果があるが、引戸の厚さが変化した場合に、引戸と引手装置との間に隙間が生じやすいという問題があり、本発明は、両従来例のそれぞれの問題を解決し、引戸の厚さが変化しても、引戸と引手装置との間に隙間が生じにくく、なおかつ、引手本体が離される方向に大きな力がかかった場合でも外れにくくすることを課題とするものである。
【課題を解決するための手段】
【０００６】
本発明は、上記の課題を解決するために、請求項１の発明は、一対の引手本体を引戸の表裏両面に装着する引手装置において、一方の引手本体には、裏面の上下部に弾性変形可能な係合片を設けると共に、他方の引手本体には、裏面の上下部に係止部を設けて成り、係合片に設けた押圧部が係止部に設けた受圧部に弾性的に係止されるよう構成され、さらに係合片の押圧部近傍には外止部を設けると共に係止部近傍には外止部に対応する位置に外止受部を設けて、係合片が係止部に当接して変形し、乗り越えた後に押圧部が受圧部に弾性的に係止され、両引手本体が近づく方向に付勢され、なおかつ、両引手本体が離される方向に力を受けた時には、外止部が外止受部に係止されて抜け止めされ得る構成としたことを特徴とする引手装置であり、請求項２の発明は、一対の引手本体を引戸の表裏両面に装着する引手装置において、一対の引手本体には、裏面の上下部のそれぞれに弾性変形可能な係合片を設けると共に、係止部を設けて成り、係合片に設けた押圧部が係止部に設けた受圧部に弾性的に係止されるよう構成され、さらに係合片の押圧部近傍には外止部を設けると共に係止部近傍には外止部に対応する位置に外止受部を設けて、係合片と係止部が対向するように、一対の引手本体を上下逆にして引戸の表裏面から挿入し、係合片が係止部に当接して変形し、乗り越えた後に押圧部が受圧部に弾性的に係止され、両引手本体が近づく方向に付勢され、なおかつ、両引手本体が離される方向に力を受けた時には、外止部が外止受部に係止されて抜け止めされ得る構成としたことを特徴とする引手装置であり、請求項３の発明は、外止部は、係止部に接触する側に突出して設けた突片であり、外止受部は、外止部が当接する突部であることを特徴とする請求項１又は請求項２に記載された引手装置であり、請求項４の発明は、外止部は、係合片に設けた貫通孔であり、外止受部は、貫通孔に入り込むように設けられた突部であることを特徴とする請求項１又は請求項２に記載された引手装置である。
【発明の効果】
【０００７】
本発明は、上記のように構成したので、簡単な構造で、製作誤差や経年変化により、引戸の厚さが設定した厚さと相違したとしても、引戸と引手装置との間に隙間が生じにくく、なおかつ、一対の引手本体が離される方向に大きな力がかかった場合でも外れにくいという効果がある。
【図面の簡単な説明】
【０００８】
【図１】実施例１を引戸に取り付けた状態の中央位置での縦断面図。
【図２】実施例１を引戸に取り付けた状態の外止部位置での縦断面図。
【図３】実施例１の分解斜視図。
【図４】実施例１の係合片部分の拡大斜視図。
【図５】実施例１の係止部部分の拡大斜視図。
【図６】実施例１の引手装置を取り外す過程を示す縦断面図。
【図７】実施例１の引手装置を取り外す過程を示す縦断面図。
【図８】実施例１の引手装置を取り外す過程を示す縦断面図。
【図９】実施例１の引手装置を取り外す過程を示す縦断面図。
【図１０】実施例１の引手装置を取り外す過程を示す縦断面図。
【図１１】実施例１を厚い引戸に取り付けた状態の中央位置での縦断面図。
【図１２】実施例２を引戸に取り付けた状態の中央位置での縦断面図。
【図１３】実施例２の分解斜視図。
【図１４】実施例２の係合片部分の拡大斜視図。
【図１５】実施例２の係止部部分の拡大斜視図。
【図１６】実施例２の引手装置を取り外す過程を示す縦断面図。
【図１７】実施例２の引手装置を取り外す過程を示す縦断面図。
【図１８】実施例２の引手装置を取り外す過程を示す縦断面図。
【図１９】実施例２の引手装置を取り外す過程を示す縦断面図。
【図２０】実施例３の分解斜視図。
【実施例１】
【０００９】
実施例１について、図１〜図１１に基づいて説明する。一方の引手本体１は、縦長方形状で周囲に鍔部４を残して中央部分に手掛け凹部３を設けてあり、その底板５の裏面の上下部に、係合片６及び係合片７がねじ８・８及びねじ９・９で固定されている。
【００１０】
係合片６は、全体が板状のばねであって、底板５の裏面の上部に固定されている部分から、底板５裏面より上方に突出するように設けて、その固定部分より上の部分を弾性変形可能な吸収部１１として、その吸収部１１から斜め下方向に折り曲げ、さらに上方に円弧状に折り曲げて形成してある。そして、中間の斜め下向きの板状部の下面を押圧部１２とし、その両側には、下向きに突出する爪状の外止部１０・１０を切り起こして設けてある。
【００１１】
係合片７は、全体が板状のばねであって、底板５の裏面の下部に固定されている部分から、底板５裏面より下方に突出するように設けて、その固定部分より下の部分を弾性変形可能な吸収部１４として、その吸収部１４から斜め上方向に折り曲げ、さらに下方に円弧状に折り曲げて形成してある。そして、中間の斜め上向きの板状部の上面を押圧部１５とし、その両側には、上向きに突出する爪状の外止部１３・１３を切り起こして設けてある。
【００１２】
他方の引手本体２は、縦長方形状で周囲に鍔部１７を残して中央部分に手掛け凹部１６を設けてあり、その底板１８の裏面の上下部に、係止部１９及び係止部２３を設けてある。また、上部の端板には、貫通孔の操作用孔２７を設けてある。
【００１３】
係止部１９は、底板１８の上部に、裏面から表面に向かい上方に向かって傾斜している傾斜面２１を形成すると共に、その傾斜面２１を乗り越えた先に受圧部２０を形成して構成してあり、係合片６の押圧部１２が、傾斜面２１に接触して上方へ弾性変形し、乗り越えた後に復元して、受圧部２０に当接するようになっている。その時、外止部１０・１０に対応する位置に、突部である外止受部２２・２２を設けてある。本実施例では、取り付けられる引戸Ｔの厚さの変化を許容するために、外止部１０・１０と外止受部２２・２２との間は、少し隙間が空くように設定・製作されている。
【００１４】
係止部２３は、底板１８の下部に、裏面から表面に向かい下方に向かって傾斜している傾斜面２５を形成すると共に、その傾斜面２５を乗り越えた先に受圧部２４を形成して構成してあり、係合片７の押圧部１５が、傾斜面２５に接触して下方へ弾性変形し、乗り越えた後に復元して、受圧部２４に当接するようになっている。その時、外止部１３・１３に対応する位置に、突部である外止受部２６・２６を設けてある。本実施例では、取り付けられる引戸Ｔの厚さの変化を許容するために、外止部１３・１３と外止受部２６・２６との間は、少し隙間が空くように設定・製作されている。
【００１５】
引手本体１と引手本体２を、引戸Ｔに設けた貫通孔にその表裏両面から挿入すると、引手本体１上部の係合片６の押圧部１２が、引手本体２上部の係止部１９の傾斜面２１に当接すると共に、引手本体１下部の係合片７の押圧部１５が、引手本体２下部の係止部２３の傾斜面２５に当接し、さらに引手本体１と引手本体２とを押し込むと、押圧部１２が傾斜面２１を、押圧部１５が傾斜面２５をそれぞれ乗り越えて、係合片６・係合片７の弾性力で復元し、押圧部１２が受圧部１９に、押圧部１５が受圧部２４に圧接し、さらにこの時には、上部係合片６の外止部１０・１０及び下部係合片７の外止部１３・１３も傾斜面２１及び傾斜面２５を越えており、外止受部２２・２２及び外止受部２６・２６に対応する位置に納まり、引手本体１と引手本体２から成る引手装置は引戸Тに取り付けられる。
【００１６】
取り付けられた後は、引手本体１の上下部の係合片６及び係合片７の弾性力で、引手本体１と引手本体２とは引き付け合う力を受け、鍔部４及び鍔部１７が引戸Тにぴったり接触し隙間が生じにくくなる。さらに、係合片６及び係合片７の弾性力以上に、引手本体１と引手本体２が離される方向に大きな力がかかった場合には、引手本体１又は引手本体２が外れる方向に移動するが、外止部１０・１０及び外止部１３・１３が係止部１９及び係止部２３に当接して抜け止めされ、外れて落下してしまうのを防止している。
【００１７】
なお、対応できる引戸Тの厚さは、引手本体１に設けた係合片６及び係合片７の先端部と引手本体２が当接する最小の厚さから、外止部１０・１０及び外止部１３・１３が外止受部２２・２２及び外止受部２６・２６に当接する最大の厚さまでだが、さらに、最大の厚さから引戸Тが経年変化等で多少厚くなったとしても、吸収部１１及び吸収部１４が変形して対応することができるようになっている。
【００１８】
引手本体１と引手本体２を引戸Тから取り外すには、操作用孔２７に下方からマイナスドライバーＤを差し込み係合片６を押し上げ（図６参照）、押圧部１２と受圧部２０を引き離す。すると、マイナスドライバーＤの先端が係合片６先端の弧状部を滑って押すことになり、係合片６が取り付けられた引手本体１の上部を外方向に押し出す（図７参照）。この状態からさらに引手本体１の上部が外方向に倒れたとしても、下部の係合片７の外止部１３・１３が係止部２３の外止受部２６・２６に引っかかり（図８参照）、引手本体１が外れて落下してしまうことがない。図７の状態あるいは図８の状態から、引手本体１の上部を引戸Т側に押すと、引手本体２の上部が外方向に押し出され（図９参照）、引手本体２を斜め上方向に持ち上げながら取り外すことができ（図１０参照）、その後、反対側の引手本体１を取り外せばよい。
【００１９】
なお、引手本体１が外方向に倒れないように押さえながら、操作用孔２７に下方からマイナスドライバーＤを差し込み係合片６を押し上げると、引手本体２の上部が外方向に倒れるので、その引手本体２を斜め上方向に持ち上げながら取り外すことができる。
【００２０】
また、引戸Тは梅雨の時期等は水分を含んで、厚さが厚くなる場合があるが、その場合でも、上部において外止部１０・１０が外止受部２２・２２に、下部において外止部１３・１３が外止受部２６・２６に引っかかって、上部の吸収部１１及び下部の吸収部１４が弾性変形して（図１１参照）、外れることなく隙間のない取付状態を維持することができるようになっている。
【実施例２】
【００２１】
実施例２について、図１２〜図１９に基づいて説明する。実施例２は、実施例１とは、係合片と係止部の部分で相違するだけなので、その部分だけについて符号を付して説明することとする。その他の構成は実施例１と同様である。
【００２２】
一方の引手本体５１の底板の裏面の上下部に、係合片５３及び係合片５６がねじで取り付けてある。
【００２３】
係合片５３は、全体が板状のばねであって、中間の斜め下向きの板状部略中央部には、長方形状の貫通孔の外止部５４を設けてある。
【００２４】
係合片５６は、全体が板状のばねであって、中間の斜め上向きの板状部略中央部には、長方形状の貫通孔の外止部５７を設けてある。
【００２５】
他方の引手本体５２は、裏面の上下部に、係止部５９及び係止部６３を設けてある。
【００２６】
係止部５９は、底板の上部に裏面から表面に向かい上方に向かって傾斜している傾斜面６１を形成すると共に、その傾斜面６１を乗り越えた先に受圧部６０を形成して構成してあり、係合片５３の押圧部５５が傾斜面６１に接触して上方へ弾性変形し、乗り越えた後に復元して、受圧部６０に当接するようになっている。その時、外止部５４に対応する位置に、その貫通孔に入り込むように突出する外止受部６２を設けてある。
【００２７】
係止部６３は、底板の下部に裏面から表面に向かい下方に向かって傾斜している傾斜面６５を形成すると共に、その傾斜面６５を乗り越えた先に受圧部６４を形成して構成してあり、係合片５６の押圧部５８が傾斜面６５に接触して下方へ弾性変形し、乗り越えた後に復元して、受圧部６４に当接するようになっている。その時、外止部５７に対応する位置に、その貫通孔に入り込むように突出する外止受部６６を設けてある。
【００２８】
引手本体５１と引手本体５２を、引戸Ｔに設けた貫通孔にその表裏両面から挿入すると、引手本体５１上部の係合片５３の押圧部５５が、引手本体５２上部の係止部５９の傾斜面６１に当接すると共に、引手本体５１下部の係合片５６の押圧部５８が、引手本体５２下部の係止部６３の傾斜面６５に当接し、さらに引手本体５１と引手本体５２とを押し込むと、押圧部５５が傾斜面６１を、押圧部５８が傾斜面６５をそれぞれ乗り越えて、係合片５５・係合片５８の弾性力で復元し、押圧部５５が受圧部６０に、押圧部５８が受圧部６４に圧接し、さらにこの時には、上部係合片５３の外止部５４及び下部係合片５８の外止部５７も傾斜面６１及び傾斜面６５を越えており、外止受部６２及び外止受部６６が外止部５４及び外止部５７に入り込み、引手本体５１と引手本体５２から成る引手装置は引戸Тに取り付けられる。
【００２９】
そして、取り付けられた後の作用効果や、図１６〜図１９に示す取り外し方等は実施例１と同様であるので、説明を省略する。
【実施例３】
【００３０】
実施例３について、図２０に基づいて説明する。実施例３においては、引手本体１０１の上部に係合片１０３を設けると共に、下部に係止部１０４を設けて、同様な引手本体１０２を上下逆にして、つまり、上部に係止部１０６を設けると共に、下部に係合片１０５を設けて、この引手本体１０１と引手本体１０２を引戸の表裏に、取り付けるようにするものである。なお、実施例１においては、一方の引手本体の上下部に係合片を設けると共に他方の引手本体の上下部に係止部を設けたのに対し、本実施例では、引手本体は、上部に係合片を設けると共に下部に係止部を設けた同一のものを一対としたものであり、その他の構造、取り付け方や取り外し方等は実施例１と同様なので説明は省略する。本実施例では、引手本体１０１と引手本体１０２は同一のものでよいので経済的であるというメリットがある。
【符号の説明】
【００３１】
１  引手本体
２  引手本体
６  係合片
７  係合片
１０  外止部
１３  外止部
２２  外止受部
２６  外止受部
５１  引手本体
５２  引手本体
５３  係合片
５４  外止部
５６  係合片
５７  外止部
６２  外止受部
６６  外止受部
Ｔ  引戸
【図１】
0006465623.tif 000002
【図２】
0006465623.tif 000003
【図３】
0006465623.tif 000004
【図４】
0006465623.tif 000005
【図５】
0006465623.tif 000006
【図６】
0006465623.tif 000007
【図７】
0006465623.tif 000008
【図８】
0006465623.tif 000009
【図９】
0006465623.tif 000010
【図１０】
0006465623.tif 000011
【図１１】
0006465623.tif 000012
【図１２】
0006465623.tif 000013
【図１３】
0006465623.tif 000014
【図１４】
0006465623.tif 000015
【図１５】
0006465623.tif 000016
【図１６】
0006465623.tif 000017
【図１７】
0006465623.tif 000018
【図１８】
0006465623.tif 000019
【図１９】
0006465623.tif 000020
【図２０】
0006465623.tif 000021